Podtech/llm-jp-corpus-v4-ja_patent huggingface dataset:
(57)【要約】      （修正有）【課題】文字や絵を描く筆記具を使用のさい、視覚や聴覚で楽しく人目を引く癒しや和むペンが要求されていた。【解決手段】筆記するためのペン先１を有するペン軸２の頭部３に、ゆらすための弾性を有する短冊状の薄板をハート型としたハート型装飾体４の外突起部６を該ペン軸２接続し、該ハート型装飾体４の内突起部７に錘５を設ける。したがって、錘５により、文字や絵を描く際しては、ハート型装飾４が小さく小刻みにゆれたり、ゆったりと大きくゆれたり、変化に富んだ動きを見せる。また、ペン軸の長さを１５センチメートル以上に設定した。【選択図】図１
2010046861.tif 000002
【特許請求の範囲】
【請求項１】
筆記するためのペン先１を有するペン軸２と、ペン軸２の頭部３に設けられたハート型装飾体４となし、とでなる筆記具において、前記装飾体４は可撓性を有する短冊状の薄板をハート型に形成して、このハート型装飾体４の外突起部６をペン軸の頭部３に接続し、ハート型装飾体４の内突起部７に錘５を設けたことを特徴とする、ハート型装飾体４がゆれる筆記具。
【発明の詳細な説明】
【技術分野】
【０００１】
本発明は、筆記具に関し特に装飾ビジュアルデザインを施した筆記具である。  
【背景技術】
【０００２】
従来は筆記具の頭部に実用品またはキヤラクターグッズのミッキーマウスや、キティーが固定されていた。    
【発明の開示】
【発明が解決しようとする課題】
【０００３】
筆記具で文字や絵を描く際に、ペン軸の頭部に設けられたハート型の装飾が変化に富んだゆれ方をすることによって、文字や絵を描くことが楽しくなると同時に、見ている人の心も楽しませることができる筆記具を提供しようとするものである。
【課題を解決するための手段】
【０００４】
本発明のハート型装飾体がゆれる筆記具は、筆記するためのペン先１を有するペン軸２と、ペン軸２の頭部３に設けられたハート型装飾体４となし、とでなる筆記具において、前記装飾体４は可撓性を有する短冊状の薄板をハート型に形成して、このハート型装飾体４の外突起部６をペン軸の頭部３に接続し、ハート型装飾体４の内突起部７に錘５を設けたことを特徴とする
【発明の効果】
【０００５】
筆記具で文字や絵を描く際は、ペン先より少し上の人差し指と中指とに挟まれた部分
が力点となり、一指し指の第三間接に接する部分が支点となるため、ペン軸２の頭部３は常にペン先の動きと反対の方向に動き、動きの大きさは支点からペン先１までの距離と支点から頭部までの距離との比によって決まる。このため、ペン先１の動きに連動してペン軸２の頭部３に設けられたハート型装飾体４を有効に動かすためには、実験の結果としてペン軸の長さを１５センチメートル以上にすることが必要である。
【０００６】
また、ハート型装飾体４のゆれるときの固有振動数は、ハート型を形成する短冊の弾性とハート型装飾体の質量によって決まり、仮に錘がなければ固有振動数が高いため、文字や絵を描くときのペン先の動きに共振する現象は起きないが、ハート型装飾体４の中心に近い内突起部７に錘５を付けることによって固有震度数が低くなるため、ペン先１の小刻みな動きに対しては共振することなく小刻みに振動するだけであるが、ペン先１のゆったりした動きに対しては共振が発生してハート型装飾体４全体が大きくゆれる。  したがって、文字や絵を描く際しては、ハート型装飾４が小さく小刻みにゆれたり、ゆったりと大きくゆれたりして、変化に富んだ面白い動きを見せてくれる。文字や絵を描くと、ペン軸頭部３に設けられたハート型装飾体が小刻みにゆれたり、ゆったりと大きくゆれたりして、変化に富んだ面白い動きをみせるので、ペン先をもっと動かしたい衝動に駆られて文字や絵や描くことが楽しくなる。また、横で見ている人も不思議な楽しい気分を味わうことが出来る、なお錘５を、鈴にすることで視覚と聴覚を楽しむことが出来る。
【実施例１】
【０００７】
筆記するためのペン先１を有するペン軸２と、ペン軸２の頭部３に設けられたハート装飾体４とでなる筆記具において、前記筆記具は弾性を有するペン軸２の頭部３に柔らかいプラスチックで薄板０．２ミリの短冊を１センチメートル幅でハート型に形成し、可撓性を有するハート型装飾体４の外突起部６をペン軸２の頭部３に接続し、ハート型の内突起部７に錘５として直径７ミリの鈴をぶら下げた、ペン軸２の長さを２０センチメートルに設定した。
【実施例２】
【０００８】
実施例１で用いた短冊状薄板ハート型装飾体４外突起部６の接続部を細く括れた状態にすることでハート型装飾体４を左右だけでなく全周にゆれるようになった。
【０００９】
ハート型の内突起部７に、鈴の錘５やキャラクターグッズの錘５などを設けることができる、さらに、ハート型４の外突起部７とペン軸２の頭部３に接続する部分を柔軟性のある板バネや、細い棒状ピアノ線や螺線等を介することもできる、短冊のハート型４や錘に光り反射効率の良いホログラム印刷や残光照明をもたらす塗料を施すこともできる。
【図面の簡単な説明】
【００１０】
【図１】本発明の実施の一例を示す説明図
【図２】同部分拡大図
【符号の説明】
【００１１】
１  ペン先              
２  ペン軸
３  頭部    
４  ハート型装飾体
５  錘                
６  外突起部    
７  内突起部  
【図１】
2010046861.tif 000003
【図２】
2010046861.tif 000004
(57)【要約】【課題】従来の買い物などに使用する折りたたみ式の運搬具が知られているが携帯には不向きであり又、１本の棒に袋を吊り下げるキャリアーなども知られているが、袋を取り付ける装置が上部フックのみであるので力点が棒上部にかかり、持ち手負担が大きく又、振り子状に振れ実用的ではなかった。本発明は以上の問題点を解決する携帯買い物キャスターを提供する。    【解決手段】複数からなる伸縮するパイプ（２）（３）（４）（５）に持ち手（１）及び鉤（１１）キャスター（７）を取り付け、袋の環（１３）を鉤（１１）に掛け尚且つ、面ファスナー（１６）（１８）をパイプ（５）に巻き付け袋（１２）を（図１）のキャスターに取り付けることが出来るようにしたもので、外出時においては収縮し携帯に便利なようにし、買い物などし重い物を運ぶ時はパイプを伸ばし尚且つ袋を取り付け其の袋の中に物を容れるようにし、楽に運ぶことを目的とした携帯買い物キャスター。【選択図】  図８
2010046240.tif 000002
【特許請求の範囲】
【請求項１】
複数からなる伸縮するパイプ（２）（３）（４）（５）に持ち手（１）及び鉤（１１）
キャスター（７）を取り付け、袋の環（１３）を鉤（１１）に掛け尚且つ、面ファスナ
ー（１６）（１８）をパイプ（５）に巻き付け、袋をキャスターに取り付けることが出
来るようにした携帯買い物キャスター。
【発明の詳細な説明】
【技術分野】
【０００１】
本発明は、日常の買い物などの荷物を運搬する携帯買い物キャスターに関するものであ
る。
【背景技術】
【０００２】
買い物などに使用する折りたたみ式の携帯用の運搬具が知られているが携帯には不向き
なため出勤時等に持参するのには不向きであった（特許文献１）。
【０００３】
１本の棒に袋を吊り下げることにより手に提げるより楽に運ぶキャリアーなども知られ
ているが、荷物を掛けるためのフックが支点になる車輪より、作用点になる持ち手に近い
ので使用時の負担はかなり大きく又、袋底部が固定されていないので袋が振り子状に振れ
実験結果においても実用には程遠い物である（特許文献２）。    
【特許文献１】特開２００２−２３４４４３号公報
【特許文献２】登録実用新案公報第３９８７４９５号
【発明の開示】
【発明が解決しようとする課題】
【０００４】
特許文献１は、２本のパイプ及び、２個の車輪を使用するので当発明より携帯するには
大きく不向きであった。
【０００５】
特許文献２は、１本の棒に袋を吊り下げることにより手に提げるより楽に運ぶキャリア
ーなども知られているが、荷物を掛けるためのフックが支点になる車輪より、作用点にな
る持ち手に近いので使用時の負担はかなり大きく又、袋底部が固定されていないので袋が
振り子状に振れ実験結果においても実用には程近いものである。本発明は以上の問題点を
解決するものである。
【課題を解決するための手段】
【０００６】
伸縮するパイプ先端に引手（１）をつけ、その下の方に袋（１２）を提げるための鉤
（１１）を取り付け、なおその下先端部にキャスター（７）を取り付けた物に、袋
(１２）を鉤（１１）に掛け、なおかつ袋下部を面ファスナー（１５）によりスライドパ
イプに取り付けることにより楽に荷物を運ぶことが出来、特に袋下部を固定することによ
り重心の位置をより下方にすることが出来るので作用点としての引手の重量が楽になり運
搬を容易にすることができる。
【発明の効果】
【０００７】
従来から荷物移動のための伸縮するキャスター、バッグ等あるが通勤帰りなどに使用す
るため通勤バッグ等に入れるには不便な大きさであった、本発明により大きさがより小さ
くなりバッグ等に入れやすく便利であり又、荷物も楽に運ぶことが出来る。
【発明を実施するための最良の形態】
【０００８】
以下、本発明の実施の形態を説明する。
（イ）伸縮するスライドパイプ（２）（３）（４）（５）のスライドパイプ（２）の先
端に引手（１）を設け、スライドパイプ（５）の下端にキャスター（７）を設ける。
（ロ）スライドパイプ（２）とスライドパイプ（３）の接続部分に鉤（１１）を設ける。
（ハ）袋（１２）には、伸縮するスライドパイプ（２）（３）（４）（５）に提げるため
の環（１３）をそれぞれ袋（１２）の口前後に設け、面ファスナーを（１５）を袋下部に
設ける。本発明は、以上のような構成である。
本発明を使用するときは（図８）に示すように（図１）の伸縮するスライドパイプ
(２）に引手（１）を取り付け、スライドパイプ（５）に袋（１２）を提げるための鉤
（１１）なお、その下先端部にキャスター（７）を取り付けたスライドパイプに、（図
８）のように（図７）の袋（１２）を鉤（１１）に掛け、なおかつ袋（１２）下部に重心
の位置をより下方にするためと、袋が振り子のように振れるのを防止するために（図
１０）の面ファスナー（１５）を取り付ける、この結果上部フックに掛けただけより使用
時に重心が下方に移り、なお且つ荷物が振り子状に振れるのを防ぐことが出来、より楽に
荷物運搬が出来る。なお、スライドパイプを縮め、袋（１２）を畳むことによりコンパク
トに携帯することが出来る。
【図面の簡単な説明】
【０００９】
【図１】本発明の背面図。
【図２】本発明の正面図。
【図３】本発明の側面図
【図４】本発明の袋背面図。
【図５】本発明の袋上面図。
【図６】本発明の袋側図。
【図７】本発明の袋斜視図。
【図８】本発明の使用状態の側面図。
【図９】本発明の本案のストッパーフック部分の断面図。
【図１０】本発明の面ファスナーを本体に巻いた部分の断面図。
【図１１】本発明の使用状態を示す斜視図。
【符号の説明】
【００１０】
１    引手
２    スライドパイプ１
３    スライドパイプ２
４    スライドパイプ３
５    スライドパイプ４
６    車軸
７    キャスター
８    ストッパーフック１
９    ストッパーフック２
１０  ストッパーフック３
１１  鉤
１２  袋
１３  環
１４  持ち手
１５  面ファスナー
１６  面ファスナー外周側
１７  通し環
１８  面ファスナー内周側
１９  内側になるパイプの断面
２０  外側になるパイプの断面
２１  ストッパーフックの断面
２２  符号５の断面図
２３  面ファスナー外側部
２４  面ファスナー内側部
【図１】
2010046240.tif 000003
【図２】
2010046240.tif 000004
【図３】
2010046240.tif 000005
【図４】
2010046240.tif 000006
【図５】
2010046240.tif 000007
【図６】
2010046240.tif 000008
【図７】
2010046240.tif 000009
【図８】
2010046240.tif 000010
【図９】
2010046240.tif 000011
【図１０】
2010046240.tif 000012
【図１１】
2010046240.tif 000013
(57)【要約】      （修正有）【課題】敷き石と敷き石との間に芝生を育成する敷き石間芝生化方法における芝生保護材において、人車からの踏み圧を軽減する芝生保護手段を提供する。【解決手段】深さ方向の中間部に被契合用の突部あるいは凹部を設けた敷き石１と、該敷き石１と該敷き石１間の隙間に填め込まれ、表面に芝生が上方に匍匐伸出可能な隙間を有し、下部に敷き石の被契合部１１に契合する契合部を有する保護材２とからなる敷き石間の芝生保護材である。敷き石１間の芝生が保護材２により人あるいは車の踏み圧より保護されるため芝の生育に良好な環境を与えることができる。【選択図】図１
2010037902.tif 000002
【特許請求の範囲】
【請求項１】
敷き石と敷き石との間に芝生を育成する敷き石間芝生化方法における芝生保護材において、深さ方向の中間部に被契合用の突部あるいは凹部を設けた敷き石と、敷き石と敷き石間の隙間に填め込まれ、表面に芝生が上方に匍匐伸出可能な隙間を有し、下部に敷き石の被契合部に契合する契合部を有する保護材とからなる敷き石間の芝生保護材。
【発明の詳細な説明】
【技術分野】
【０００１】
本発明は、敷き石の間の芝生の保護技術に属する。
【背景技術】
【０００２】
従来より、敷き石間に芝生を育て緑化を果たすと共に駐車場として使用する手段が開示されている。特開平０７−１５０５０５には互いに突き合せたとき互いの間に上下貫通孔を形成するための突起を有し、本体部の上面に互いに適宜な間隔を開けるようにし且つ緑化植物の根張りに必要な深さを与える高さで突設された複数の露出用突起を有する敷き石が開示されている。
特開平１１−２４７１１０には、平面矩形の踏み石本体の上部に踏み石面を突設すると共に、両端周壁部から地中接合部を突出し、各々の端部を地中接合面とし、他の周壁部には空洞の地中被接合面部を設け、隣接するブロック同士が地中接合面と被地中接合面で接合することで上下貫通する孔とその孔同士を連絡する芝張り部を設けることのできる敷き石が開示されている。
いずれの方法においても上下に貫通する部分および貫通する孔を連絡する芝などが伸長する部分に生える芝生等は直接踏み圧にさらされ植生土の硬化、芝生の芽の損傷など育成上問題があった。
【０００３】
かかる踏み石間の芝生においても人や車からの踏み圧を軽減する芝生保護の手段が求められている。
【０００４】
【特許文献１】特開平０７−１５０５０５
【特許文献２】特開平１１−２４７１１０
【発明の開示】
【発明が解決しようとする課題】
【０００５】
本発明は、踏み石間の芝生においても人や車からの踏み圧を軽減する芝生保護手段の提供にある。
【課題を解決するための手段】
【０００６】
本発明は、敷き石と敷き石との間に芝生を育成する敷き石間芝生化方法における芝生保護材において、深さ方向の中間部に被契合用の突部あるいは凹部を設けた敷き石と、敷き石と敷き石間の隙間に填め込まれ、表面に芝生が上方に匍匐伸出可能な隙間を有し、下部に敷き石の被契合部に契合する契合部を有する保護材トからなる敷き石間の芝生保護材である。
【発明の効果】
【０００７】
本発明は、敷き石と敷き石との間に芝生を育成する敷き石間芝生化方法における芝生保護材において、深さ方向の中間部に被契合用の突部あるいは凹部を設けた敷き石と、敷き石と敷き石間の隙間に填め込まれ、表面に芝生が上方に匍匐伸出可能な隙間を有し、下部に敷き石の被契合部に契合する契合部を有する保護材トからなる敷き石間の芝生保護材である。敷き石間の芝生に対しても、芝生に直接踏み圧が掛かることがないため、踏み圧により植生土の硬化、芝生の芽を傷めることがない。
【発明を実施するための最良の形態】
【０００８】
以下、本発明を図によって、より詳細に説明する。
図１、図２は、本発明を構成する敷き石と保護材を示す概念図である。図１は敷き石の側面に凹部を設けて被契合部とし、保護材の契合部と契合し固定する例であり、図２は敷き石の側面に突部を設けて被契合部とし、保護材の契合部と契合し固定する例である。
【０００９】
図示した敷き石は斜線を施した正方形で等間隔に配列され、その間には芝の育成用土壌が充填されている。敷き石は断面図に示すように、その側面に凹部あるいは突部を被契合部として設け、保護材の脚部をそれぞれの敷き石の被契合部の形状にあわせた契合部とすればよく既存の技術をそのまま利用できる。敷き石の形状も正方形に限らず保護材を隙間なく填め込むことができる形状ならばよい。
【００１０】
保護材は図に示すように所定の敷き石をまとめた状態で適用できる大きさを一体化したものとしてもよいが、図3に示すような各4個の敷き石間の中心に設ける十字形の保護材であってよい。また、直線状の保護材を組み合わせてもよい。すなわち、配列された敷き石の間に隙間なく填め込める形状であればよい。
【００１１】
芝は図4に示すように、保護材の隙間より伸長し、敷き石間を緑化する。保護材により人あるいは車の踏み圧が直接芝に掛からないため土壌の硬化、芝の芽が傷むことが防止され芝の生長に良好な環境を与える。
【００１２】
芝の生育のためには、保護材と育成用土壌の表面との間には隙間があることが好ましい。
【００１３】
敷き石は木製、石製、陶製など適宜使用できる。保護材も金属製あるいは射出成形可能な樹脂製であってもよい。使用条件、使用環境に応じて適宜材質は変更可能である。
【図面の簡単な説明】
【００１４】
【図１】は、本発明を示す概念図の一例である。
【図２】は、本発明を示す概念図の他の一例である。
【図３】は、保護材の一例を示す概念図である。
【図４】は、実施状況を示す概念図である。
【符号の説明】
【００１５】
１  敷き石
11  敷き石の契合部
２  保護材
・  保護材の契合部
・  芝生の伸長する隙間
【図１】
2010037902.tif 000003
【図２】
2010037902.tif 000004
【図３】
2010037902.tif 000005
【図４】
2010037902.tif 000006
(57)【要約】【課題】イベント時、工事時に簡易ハウスとしてプレハブ住宅を利用してきたが一部一体型で重量が重くユニックなどの重機車両を必要とした。経費もかかり、安易に移設することができない。また、イベント時にテントが多用されるが、画一的で注目を得ることができない。バランスや重量の問題から風雪に弱い。【解決手段】本発明は、上記課題を解決し、地域の間伐材を活用することにより森林事業を育成する。さらに、地域における地産の産業開発となる。間伐材の丸太を板状、柱状に加工し、複数な組み合わせによって、柱部材と板部材、土台材が連結し、屋根、壁面を細長の板材で形成されることによる構造物であり、同一性の間伐材で構成する。【特許請求の範囲】
【請求項１】
間伐材を用いた屋根、柱、壁、土台を構成としたことを特徴とする組み立て式の移設可能な簡易ハウス。
【請求項２】
丸太の丸い部分、細い部分を複数にユニットとし、細長板状形成の連結の組み立てを特徴とする。
【請求項３】
屋根体は、上から下に傾斜に設置し、細長板を下から上に組み立て風、雨、雪等が入らない組み立ての構造物を特徴とする。
【請求項４】
壁体は、柱間を、下から上に交互に重ね上げた組み立てをすることにより、板材の復元力を活用し、しがらみのように重ねあげることにより、強度は、かすがい以上になることを特徴とした。
【請求項５】
前記のユニットを連結した組み立てを特徴とした。
【発明の詳細な説明】
【技術分野】
【０００１】プレハブ住宅。
【背景技術】
【０００２】板を湾曲させた時に発生する復元力の応用。
【発明の開示】
【発明が解決しようとする課題】
【０００３】イベント時や工事時に簡易ハウスとしてプレハブ住宅を利用してきた。一部一体型で重量が重く、ユニックなどの重機車両を必要とした。経費もかかり、安易に移設することができない。【０００４】イベント時にテントが多用されるが、画一的で注目を得ることができない。バランスや重量の問題から風雪に弱い。
【課題を解決するための手段】
【０００５】板の復元力を活用し、横板を縦骨材に縫うように設置し、その上部にくる横板を下部の横板と交互に湾曲させる形で設置する。
【発明の効果】
【０００６】本発明の組み立て式ハウスの主材料は、間伐材を使用したことにより、地域産材の利用技術となり地域産業に貢献をする。【０００７】間伐材による部材は、組み立て式構造にセットされ、軽トラック自動車でも容易に移動ができる。しかも組み立て解体が、短時間で出来ることを特徴とする。【０００８】部材の組み立てかたにより、伸縮自在に、長さ、高さが立地によって組み立てができる。地面からの高さも自在に調整できることから、場所に合わせた構造であることと、テントの代用が出来る。ユニットの連結数によって規模の自在設定ができることを特徴とする。
【発明を実施するための最良の形態】
【０００９】屋根部材は、間伐材の板材でもって下から上に等間隔で畳み込んだ構造にする。壁になる部分は板材を下から上に交互に織りなし、板材の反り、たわみの特性を活用することにより、かすがい以上の強度となる。柱部材、土台部材の連結は、組み込み合わせの工法とクサビによる耐震構造にした。【００１０】寸法調整、曲がり矯正は、釘、金具の使用を避けクサビを使用することにより耐震構造になり、作業能率も上がり、さらに、組み立て、解体作業が容易に出来ることを特徴とした。
【産業上の利用可能性】
【００１１】本発明は、簡易イベントハウスや、海や山などのリゾート地における簡易休憩所や簡易バンガロー等に用い、移設可能な構造物として、優れた耐久性，居住性を追求した最適な組み立て式簡易ハウスの技術開発を提供する。
(57)【要約】      （修正有）【課題】壁構造又は壁式構造形式における耐震壁補強工法を提供する。【解決手段】補強壁は、補強壁厚を軽減するため、超高強度コンクリートによる繊維補強コンクリート製二次製品とする。製作方法は、建物全体の利用可能な壁を選定し、選定箇所の面積と、補強に必要な面積から意匠性を配慮した形態を設計する。次に、繊維補強コンクリート製二次製品を既存建物と一体化する補強壁工法は、従来工法のエポキシ系樹脂圧着による既存建物との一体化と従来工法のケミカルアンカーを併用することにより、表層剥離の問題を解決し閉鎖性を改善する。また、必要な設計強度のケミカルアンカーに適合するコア抜き加工を既存建物に施し、騒音と振動を最小限に軽減する。尚、本工法は、壁構造又は壁式構造のみならずラーメン構造にも適応可能な補強板の製作により、壁構造又は壁式構造同様に実行可能な後付耐震補強工法となる。【選択図】図２
2010037925.tif 000002
【特許請求の範囲】
【請求項１】
壁構造又は壁式構造における窓開口部欠損部分を担保する耐震壁補強工法
【請求項２】
既存建物の外側から、プレハブ後施工により既存建物と一体化し、耐震性能を高める工法
【請求項３】
工事中の建物利用が可能な複合素材と施工方法
【請求項４】
ラーメン構造への展開
【発明の詳細な説明】
【技術分野】
【０００１】後付耐震壁補強技術
【背景技術】
【０００２】
【非特許文献１】壁構造又は壁式構造における窓開口部欠損部分を担保する補強壁を繊維補強コンクリート製二次製品として製作する。（従来工法）  繊維補強コンクリートの持つ強度から補強壁のコンクリート壁厚を軽減させる。（従来工法から推察可能な範囲）繊維補強コンクリート製二次製品の寸法は、耐震補強に充分な壁量から算出し、決定する。（従来工法）
【非特許文献２】既存建物の外側から、繊維補強コンクリート製二次製品後施工により既存建物と一体化し耐震性能を高める工法として、ケミカルアンカーとエポキシ系樹脂にて行う。（従来工法）
【発明の開示】
【発明が解決しようとする課題】〔意匠に係る課題〕
学校、病院、共同住宅等の建物は、構造形式を壁構造又は壁式構造を採用してきた。壁構造又は壁式構造における窓開口部欠損部分を担保する耐震壁補強工法は、従来ブレースを採用してきたが、学校、病院、共同住宅が使用される目的や環境を勘案するとバッテン型のプレース形状は、意匠上課題が残り、採用についての逡巡がある。
〔工事中の建物利用に係る課題〕
耐震壁補強工事は、学校、病院、共同住宅が使用される目的や環境を勘案すると工事中の騒音や振動、更に不快感などから工事中の建物利用に課題があり、補強工事の着工は、建物使用を一時止めた後のような対策が採られている。
【課題を解決するための手段】〔コンクリート二次製品の可塑性利用と経済合理性〕
意匠に係る課題を解決する為、建物全体の利用可能な壁の箇所の選定及び、選定箇所の使用可能な面積から意匠性を配慮した形態を設計し、コンクリート二次製品の可塑性を利用した成形が可能な型枠の計画を行う。また、型枠の数が最小限となる意匠を考案することで経済合理性を追求することが可能となり、ブレース補強と比較して著しい増額を回避した既存建物と一体化する補強壁によりブレース補強の意匠性の欠点を解消することができる。
〔従来工法の複合的な選択による工事中の建物利用〕
アンカー施工に因る騒音と振動は、工法の汎用性にも係らず普及に至らない理由となっている。
また、従来工法のエポキシ系樹脂圧着による既存建物との一体化は、エポキシ系樹脂付着強度を確保するため既存建物の表層面の劣化による表層剥離を回避する必要があり、表層に高圧洗浄やケレンを施す。そのために工事期間中は、建物全面を工事環境の保全や安全確保のため単管足場を架設し飛散防止ネットで覆ってきた。建物全面を覆われた閉塞性は、建物利用者に著しい不快感を与えるため、工事中の建物利用を難しくしている。
前田モデルは、この問題点をもうひとつの従来工法を組込むことで解決を図る。
従来工法のエポキシ系樹脂圧着による既存建物との一体化と従来工法のケミカルアンカーを併用することにより、表層剥離の問題を解決し閉鎖性を改善する。また、必要な設計強度のケミカルアンカーに適合するコア抜き加工を既存建物に施し、騒音と振動を最小限に軽減することにより、工事中の建物利用を可能とする。
【発明の効果】〔耐震改修工事の早期推進〕
耐震改修工事の早期推進は、生活者の安全に欠くことのできない懸案となっている。
本発明の骨子は全て従来工法に立脚した後付耐震壁補強技術であり、其々の専門分野でストックされた技術を複合的に選択して課題を解消する新たな工法を前田モデルとして完成した。尚、耐震設計上の強度は、構造形式を壁構造又は壁式構造のみならずラーメン構造を構成する柱と梁の後付補強量として数値化が可能であり、繊維補強コンクリート製二次製品後付耐震補強工法として前田モデルを展開することが出来る。
このような新たな工法は、情報の開示と更なる専門分野でストックされた技術を複合的に組み合わす技術革新として、生活者の安全を確保する耐震改修工事の早期化大きな推進力となる。
【発明を実施するための最良の形態】〔壁構造又は壁式構造の建物の相対する壁量バランスを補正する形態〕
窓などの開口により建物全体の壁量バランスの歪を、繊維補強コンクリート製二次製品を付加することで補正し、バランスを回復することで耐震性能を向上させる。
【実施例】なし
【産業上の利用可能性】〔壁構造又は壁式構造の耐震補強設計〕
耐震設計の計算上必要な設計強度の繊維補強コンクリートの形状とケミカルアンカーの設置位置を図面化し、一体化に必要な付着面を確保するコア抜き箇所を図面化した設計図面完成後、現況の仕組みで実行可能な工事発注図となる。
〔繊維補強コンクリート製二次製品〕
繊維補強コンクリートは、コンクリート製品製造会社及び建設会社が普遍的に製作しており、一般的に供給可能な商品である。
〔エポキシ系樹脂による圧着工事〕
エポキシ系樹脂は、市販される普及品のため圧着作業者を工事業者が手配することは現況の仕組みで実行可能である。但し、現場作業者の技能力による施工性能の差異が想定されるため、充分な施工管理が必要となる。
〔耐震補強工事業者〕
本発明による工事は、既存建物利用者の利用目的を阻害することなく工事中も利用可能な耐震補強工事を安全に短期間に完工する目的が遂行できる管理技術をもつ工事業者であれば普遍的に施工が可能であるため、現況の工事発注の仕組みで実行可能な工法である。
【図面の簡単な説明】
【図１】〔壁構造又は壁式構造の耐震補強設計概念図及び計算式〕
【図２】〔壁構造又は壁式構造における窓開口部欠損部分を担保する補強壁概念図〕
【符号の説明】
なし
【図１】
2010037925.tif 000003
【図２】
2010037925.tif 000004
(57)【要約】【課題】  市町村ではまだ排水設備が行われていない所が多く、道路のＵ字溝や川に流している排水の臭いが配管を通って宅地や室内に入ってくるという苦情を耳にする。【解決手段】  住宅には集水桝が幾つかついている。桝に出ている配水管の出口にパイプの臭い止めを取り付けて臭いや蚊の浸入を防ぐ。【選択図】図２
2010037927.tif 000002
【特許請求の範囲】
【請求項１】
配管９の内側に、円筒状で下方部に切り欠け部６を形成した保持管５を取り付けて、桝８内に突出させ、この保持管５の先端の上面にきつく円筒状のフタ本体１を取り付け、桝内に開放されたフタ本体１の前面を上方から下方に向けて前方に突出するように傾斜面を形成し、フタ本体１前面の一部を塞ぐようにしてフタ支持板３を取り付け、このフタ支持板にフタ保持４によって回動自在にフタを取り付け、フタ自身の重みによってフタ２が回動して前記傾斜面に接して連通された配管と桝とを遮断するようにしたことを持術とする配管臭い止め装置。
【発明の詳細な説明】
【技術分野】
【０００１】  本発明は、家庭の配水パイプ管から出る臭いや蚊が、家の中に侵入するのを防ぐ。
【背景技術】
【０００２】  従来は、配水パイプにも集水桝にも臭いや蚊を防ぐ方法は無かった。
【発明の開示】
【発明が解決しようとする課題】
【０００３】  排水設備が整っていないところでは、臭いや蚊が配水管を通って室内に侵入するため、臭いの逆流や、蚊が入れないよう食い止めることを目的としたものである。
【課題を解決するための手段】
【０００４】  集水桝の所で、配水パイプにふたをする。
【発明の効果】
【０００５】  配水パイプにふたをすることで、配水管を通って臭いが逆流したり、蚊の侵入を防ぐ。
【発明を実施するための最良の形態】
【０００６】  １、５は集水桝に繋がっている配水管と同じ大きさの管を使用する。【０００７】  １の幅は上３ｃｍ、下４ｃｍの長さにする。なぜなら配水パイプには勾配があるので上下が同じ長さだと１と２の間に隙間が生じてしまうためである。【０００８】  ５は配水パイプと１を繋ぐための留め具。配水管と同じ大きさのパイプを幅８ｃｍにカットし円を３分の１に切る。【０００９】  集水桝から出る配水パイプに５で簡単に取り付けることができる。【００１０】  浸入防止を５で取り付けたとき、円の３分の１をカットしたことによりカット部分を下にする事で排水は流れる。【００１１】  ２は２ｍｍくらいのプラスチック板を１の管と同じ円にくり抜いたもの。くり抜いた円の４分の１の方を１に取り付ける。【００１２】  ２は水が流れると開いて水が流れていないときは閉まる。パタンコ式なので水の流れで開く。【００１３】  排水桝に出ている配水管の出口を２で塞ぐので家の中に臭いが入ってこない。
【図面の簡単な説明】
【００１４】
【図１】  正面から見た図
【図２】  側面から集水桝に出た配水管の出口に取り付けた図
【図３】  上から見た図
【図４】  ３の断面図
【符号の説明】
【００１５】１・・フタ本体，２・・フタ，３・・フタ支持板，４・・フタ保持具，
５・・保持管，６・・切り欠け部，７・・傾斜面，８・・桝，９・・配水管
１０・・配水管
【図１】
2010037927.tif 000003
【図２】
2010037927.tif 000004
【図３】
2010037927.tif 000005
【図４】
2010037927.tif 000006
(57)【要約】      （修正有）【課題】軽量で強度があり断熱効果のある建築用ブロックを提供するために、酸化マグネシウム、塩化マグネシウム、燐酸、パーライト、ガラス繊維の複合体で、中を中空にしたブロック外周体を作り、そこに断熱材としてパーライトを封入した建築用ブロックである。酸化マグネシウムは水に溶ける性質があるので水性塗料又は防水セメントで全面塗装し防水皮膜を作る。【解決手段】酸化マグネシウム、塩化マグネシウム、燐酸、パーライト、ガラス繊維の複合体で成型したブロック外周体の一部１と同様にして作ったブロック外周体の蓋部２を接着材３で接着し、中空状のブロック外周体を作る。ブロック外周体の一部に断熱材注入口４を設ける。成型後乾燥し、水性塗料又は防水セメントで全面塗装し防水皮膜を作る。断熱材注入口よりパーライト５を注入充填し、断熱材注入口をモルタルセメント封印６する。【選択図】図２
2010037928.tif 000002
【特許請求の範囲】
【請求項１】
2010037928.tif 000007
撹拌する。これにパーライト、ガラス繊維を加え二次撹拌し、型に入れブロック外周体の一部（１）を作る。同様にしてブロック外周体の蓋部（２）を作り、（１）と（２）を一次撹拌した酸化マグネシウムとガラス繊維で作った接着材（３）で接着し、中空状のブロック外周体を作る。
ブロック外周体に断熱材注入口（４）を設ける。
【請求項２】
乾燥したブロック外周体を、水性塗料又は防水セメントで全面塗装し、防水皮膜を作る
【請求項３】
断熱材注入口から、断熱材としてパーライト（５）を注入充填する。
パーライトを充填後、断熱材注入口をモルタルセメント封印（６）する。
以上の構造になるパーライト封入建築用ブロック。
【発明の詳細な説明】
【技術分野】
【０００１】
2010037928.tif 000003
ライト、ガラス繊維を複合成型した中空状のブロック外周体に，断熱材としてパーライトを封入した建築用ブロックに関する物である。
【背景技術】
【０００２】  従来の建築用ブロックは、セメント、砂、砂利の複合体であり、酸化マグネシウム、
2010037928.tif 000004
型した中空状のブロック外周体に、パーライトを封入した建築用ブロックは無かった。
【発明の開示】
【発明が解決しようとする課題】
【０００３】  従来からのセメント、砂、砂利を使った建築用ブロックには、次のような欠点がある。
比重が約１，０−１，５あり、重い。
補強材などの対策が無く、割れやすい。
特別な断熱対策が無く、断熱の効果は期待出来ない。
【課題を解決するための手段】
【０００４】  主硬化物質の酸化マグネシウムに、粘性加減剤として塩化マグネシウム、硬化剤と
2010037928.tif 000005
この中に軽量材としてパーライト、補強材としてガラス繊維を加え二次撹拌する。これを型の中に流し入れ加圧、加熱成型してブロック外周体の一部を作る。同様にしてブロック外周体の蓋部を作りこれを接着材にて接着して中空状のブロック外周体を作る。ブロック外周体には断熱材注入口を設けて置く。酸化マグネシウムは水に溶け出す性質があるので、成型したブロック外周体を成型後、乾燥し水性塗料又は防水セメント等で全面塗装し防水皮膜を作る。断熱材注入口より断熱材としてパーライトを封入する。
本発明は、以上の構成によりなるパーライト封入建築用ブロックである。
【発明の効果】
【０００５】  パーライトは石を発泡した物で、これを使用すると非常に軽量で断熱効果がある製品が出来る。
ガラス繊維は強度を増すために入れる。入れる量により強度を自由に調節出来る。
これらを酸化マグネシウム等で固めた中空状のブロック外周体は比重０．７−０．９程度である。パーライトを封入した完成品は、比重０．４−０．６程度であり、非常に軽量な製品を作る事が出来る。
酸化マグネシウムは弱アルカリ性成分で水に溶け出す性質があり、モルタルセメントなどで加工する時に難がある。これを水性塗料、防水セメント等で全面塗装し防水皮膜を作り遮断する。これによりモルタルセメントで接着でき、軽量で高強度、断熱効果のある建築用ブロックを製造できる。
【発明を実施するための最良の形態】
【０００６】  以下、本発明を実施するための最良の形態について説明する。
硬化主成分、酸化マグネシウム（７５％−８０％）粘性加減剤、塩化マグネシウム（
2010037928.tif 000006
）に適量の水を加えて一次撹拌し硬化成分を作る。撹拌をした硬化成分にパーライト、ガラス繊維を加えて二次撹拌し、型に流し入れ加圧加熱して硬化させ成型し、ブロック外周体の一部（１）を作る。同様にしてブロック外周体の蓋部（２）を作り、硬化成分にガラス繊維を加えた接着材（３）で接着し中空状のブロック外周体を作る。これを乾燥しブロック外周体全面を、水性塗料又は防水セメント等で塗装し防水皮膜を作る。ブロック外周体の一部には断熱材注入口（４）を設けて置き、断熱材としてパーライト（５）を注入充填し、断熱材注入口をモルタルセメント封印（６）する。
本発明は以上のような構造である。これによって軽量  高強度で断熱効果があるモルタルセメントとの接着ができる、建築用ブロックを製造する事ができる。
【図面の簡単な説明】
【０００７】
【図１】  本発明の斜視図である。
【図２】  本発明の断面図である。
【符号の説明】
【０００８】  １  ブロック外周体の一部
２  ブロック外周体の蓋部
３  接着材
４  断熱材注入口
５  パーライト
６  モルタルセメント封印
【図１】
2010037928.tif 000008
【図２】
2010037928.tif 000009
(57)【要約】【課題】木製床材底部に防音材を、強度に優れた状態で接着させ、剥離時には防音材繊維が木製床材に残らず、剥離を容易に行う事ができ、かつ耐水性能に優れた水性接着剤を提供することを課題とする。【解決手段】水性のエマルジョン樹脂として酢酸ビニル樹脂、エチレン−酢酸ビニル共重合樹脂、酢酸ビニル−アクリル共重合樹脂、アクリル共重合樹脂の何れかの接着成分から選ばれた一つ以上のものを固形分で５〜３５重量％と、澱粉系接着成分を固形分で５〜２０重量％混合する。【特許請求の範囲】
【請求項１】
住宅等の木製床材底部に防音材を接着するものであり、防音材が整合性よく接着し、剥離時には前記木製床材底部に防音材が残る事なく剥離でき、且つ、水の浸漬による接着強度の低下がない事を特徴とする水性樹脂接着剤。
【請求項２】
前記水性樹脂接着剤成分として、エマルジョン接着剤成分と、澱粉系接着剤成分とを含むことを特徴とする請求項１に記載された水性樹脂接着剤。
【請求項３】
前記エマルジョン接着剤成分として、酢酸ビニル樹脂、エチレン−酢酸ビニル共重合樹脂、酢酸ビニル−アクリル共重合樹脂、アクリル共重合樹脂の何れかの接着成分から選ばれた一つ以上のものを用いることを特徴とする請求項１又は２に記載された水性樹脂接着剤。
【請求項４】
請求項２に記載された澱粉系接着剤成分を３０〜９０重量％含有することを特徴とする水性樹脂接着剤。
【請求項５】
請求項２に記載されたエマルジョン接着剤成分を１０〜７０重量％含有する事を特徴とする水性樹脂接着剤。
【発明の詳細な説明】
【技術分野】
【０００１】  本発明は、住宅等の床材底部に防音材を品質よく接着でき、剥離可能な接着剤に関する。
【背景技術】
【０００２】  近年、一般戸建住宅においては、木製床材が採用されることが多く、床の衝撃音が下階に伝わりやすくなっている為、種々の防音材を木製床材底部に接着し、防音性能を向上させている。また、リサイクル可能な材料であるポリエチレンテレフタレートを紡糸した、ポリエステル繊維綿やポリエステル不織布が防音材として利用され、それらと床面の接着に用いる接着剤には水性のエマルジョン樹脂が使用されている。【０００３】  しかし、水性のエマルジョン樹脂の使用では接着強度、耐水性能には優れるが、剥離時、防音材の内部破壊が起こり、木製床材底面に防音材の繊維が残ってしまう為、耐防火性、施工の容易さ、及びリサイクルにおいて優れたものではなかった。
【発明の開示】
【発明が解決しようとする課題】
【０００４】  本発明は、木製床材底部に防音材を、強度に優れた状態で接着させ、剥離時には防音材繊維が木製床材に残らず、剥離を容易に行う事ができ、かつ耐水性能に優れた水性接着剤を提供することを課題とする。
【問題を解決する為の手段】
【０００５】  本発明では、水性のエマルジョン樹脂として、酢酸ビニル樹脂、エチレン−酢酸ビニル共重合樹脂、酢酸ビニル−アクリル共重合樹脂、アクリル共重合樹脂の何れかの接着成分から選ばれた一つ以上のものを固形分５〜３５重量％と、澱粉系接着成分を固形分５〜２０重量％混合する事で上記課題を解決した。
【０００６】  請求項１の床材は木製である事を特徴とするが、フローリング材に対しては特に効果的に使用できる。
【０００７】  請求項１の防音材はポリエステル繊維綿の両面をポリエステル不織布で挟んだものである事を特徴とし、厚み２〜８ｍｍ程度のものが好ましい。
【０００８】  接着剤の塗布量は固形分で５ｇ〜２００ｇ／ｍ２程度が好ましい。
【発明を実施するための最良の形態】
【０００９】  次に本発明の実施例を説明する。【００１０】実施例１
ＪＡＳ普及合板に属する、一類一等の合板と防音材を接着するものである。
接着剤は固形分５０％のエチレン−酢酸ビニル共重合エマルジョン樹脂３３％と澱粉糊６７％の混合接着剤を使用し、前記合板へ全面塗布し（接着剤の塗布量は固形分で約４０ｇ／ｍ２）、防音材を貼り付け、自然乾燥した。
塗布後４８時間後に防音材を剥がした状態と、その後、一般ＪＡＳ規格「フローリングの日本農林規格」内の浸漬剥離試験に準じ、行った試験結果を表１に示す。【００１１】比較例１
接着剤として固形分５０％のエチレン−酢酸ビニル共重合エマルジョン樹脂を使用した以外は実施例１と同様の方法で試験を行った。
塗布後４８時間後に防音材を剥がした状態と、その後、一般ＪＡＳ規格「フローリングの日本農林規格」内の浸漬剥離試験に準じ、行った試験結果を表１に示す。【００１３】比較例２
接着剤として固形分５０％のエチレン−酢酸ビニル共重合エマルジョン樹脂８％と澱粉糊９２％を使用した以外は実施例１と同様の方法で試験を行った。
塗布後４８時間後に防音材を剥がした状態と、その後、一般ＪＡＳ規格「フローリングの日本農林規格」内の浸漬剥離試験に準じ、行った試験結果を表１に示す。【００１４】
【表１】
2010037531.tif 000002
【００１５】  表１に示すように、本発明による実施例１では、防音材を強度に優れた状態で合板に接着させ、剥離時には防音材繊維が合板に残らず、容易に剥離を行う事ができ、かつ耐水性能に優れた接着剤であると言える。これに対して、比較例１では強度に優れた状態で接着を行えるが、剥離時に、防音材が内部破壊を起こしており、合板に防音材繊維が残る。比較例２では、水槽への浸漬中に接着成分が溶解して、防音材が水中で自然に剥離しており、比較例のどちらも、本発明における課題を満たすには至らなかった。
(57)【要約】      （修正有）【課題】衣類のベルトループにおいて、衣類を上下左右に調節し、シルエットやフィット感を選び、固定する。【解決手段】ズボン類、スカート類やその他のベルト４を使用する衣類は、最初の位置より自然にずり下がり、シルエットやフィット感がだらしなくなる。これらの上部を上下左右に引き動かし、身体に擦れ引きつる状態を直し、フィット感を良くし、衣類のベルトループにおいてこの内側面一周に脱着材３を配し、ベルト４を挟み固定を可能とし、衣類を上下左右に調節しシルエットやフィット感を選び固定できるものである綺麗なシルエットをつくる。ベルトループ１の内側面一周に脱着材３として「フック＋ループ」を混植した面テープなどを配し、該ベルトループ４内でベルト位置が上下左右に調節された位置で固定することが可能となる。【選択図】図１
2010037706.tif 000002
【特許請求の範囲】
【請求項１】
衣類に設ける複数のベルトループの内側面一周に脱着材を配し、ベルトを挟み固定できるものとし、ズボン類などがズリ下がった状態の上端を、上下左右に引っ張り又は動かし、フィット感やシルエットを綺麗に調節し、固定することを可能とした、調節固定できるベルトループ。
【発明の詳細な説明】
【技術分野】
【０００１】、本発明は衣類のベルトループに関するものである。
【背景技術】
【０００２】従来、衣類に付属するループは、ベルトを通すだけの役割であり、ほとんど改良される対象になる事はなかった。
【発明の開示】
【発明が解決しようとする課題】
【０００３】通常ベルトを最も多く使用する衣類は、ズボン類やスカート類である。腰に締めた後、人体が動くと自然にズリ下がり腰骨、臀部、下腹などに引っ掛かり下げ止まる。前述状態はだらしなくシルエットが崩れたり、動きにくいフィット状態となる。わずか数センチのズリ下がりが、綺麗なシルエットとフィット感を台無しにする。本発明は、これらの問題点を解決する。
【課題を解決する為の手断】
【０００４】ズボン類、スカート類は人体の動きによりベルト位置が、腰骨や臀部や下腹などの位置まで、自然にズリ下がる。ズリ下がった状態でズボン類、又はスカート類の一番上を上下、左右に引っ張り、フィット感やシルエットを綺麗に調節する。この時ベルトは自然にズリ下がった位置のままで置く。ループ内でのベルト位置は、衣類を引っ張り上げる事により、下位置に移つる。ループの内側面一周に脱着材を配し、調節位置にあるベルトを挟み固定する。従って、ループの直径が長い程、又はベルト巾が細い程、調節巾が大きくなる。
【発明の効果】
【０００５】ズボン類、又はスカート類のフィット感やシルエットを調節する為に、吊りバンドやゴムベルト、などで引っ掛ける必要はない。
【０００６】ループ内側面に、ベルトを固定できる脱着材を配する事により効果を生む。
【０００７】外見は全く変わらないにも関わらず、フィット感が良く、シルエットが綺麗に見える状態に、調節が可能となる。
【０００８】フィット感はズボン類やスカート類の前後左右の位置を上げ下げする事により衣類が身体に擦れ、引きつる状態を調節で解消でき、履きやすいものとなる。シルエットは、該衣類の前後の適位置を引き上げ、固定することにより、綺麗なシルエットをつくる事が出来る。
【０００９】前述の効果をつくり出すループには、内側面と相接する衣類側を一周する、脱着材を配する。脱着材はベルトの位置を挟み固定し、外せる脱着自在性が必要である。使用するにあたり、脱着材は「マジックテープ」や、又フックとループを両方を植え備えたものが適する。例えば「共にＫ社製の商品名フリーマジック」などをループ状にし、外面には衣類の生地などで、脱着材を隠す。この様にして出来たループを細長い輪状にし衣類に接する面の一部を縫い付ける事により、ループは上下に移動しやすく、ベルトの位置巾の調節が大きく出来る物となる。
【実施例】
【００１０】ズボン類やスカート類や其の他衣類の、ベルトループ（１）を必要とする、衣類（２）にて、該ベルトループの内側面に一周に渡した脱着材（３）を配する。これら複数位置のベルトループ（１）の内を通る、ベルト（４）の位置は衣類を左右上下に調節して、押さえて脱着材（３）を密着させ、ベルト（４）を固定する。人体の動きにてずり下がり、止まった、衣類（２）のベルト（４）位置で、衣類の上端部を引っ張り上げ、シルエットやフィット感を調節固定出来る。
【図面の簡単な説明】
【００１１】
【図１】第１図は１部横面図である。
【図２】第２図は横面拡大図である。
【符号の説明】
【００１２】（１）・・・ベルトループ  （２）・・・衣類  （３）・・・脱着材  （４）・・・ベルト
【図１】
2010037706.tif 000003
【図２】
2010037706.tif 000004
(57)【要約】【課題】従来は蚊取りに電気ベープと渦巻き蚊取線香火と電気、どちらも使用せず自然蒸発し  殺さず蚊を追放する。【解決手段】ペットボトルにスプレー殺虫液剤吹き附けて、スッポジを挿入  蒸発させるだけ。【特許請求の範囲】
【請求項１】
スポンジに蚊とり殺虫剤を吹き染み込ませ、ビンの挿入し穴あきふたを締める。
【発明の詳細な説明】
【技術分野】
【０００１】    この発明は、スポンジから蒸発に関するもの。
【背景技術】
【０００２】従来、火着け香取線香、電気つきベーク、スプレーで吹く、別々に蚊を殺すことになってた。
【発明の開示】
【発明が解決しようとする課題】
【０００３】    これには次の様な問題点があった。
必要な、電気代、点火灯、蚊を向って手動スプレイ火気と電気代に手間と無駄が多く。
本発明は、以上の様な欠点を無くす為になされたの。
【課題を解決するための手段】
【０００４】スポンジに  蚊殺虫液剤吹き染み込ませ。「３回ほど」。
【発明の効果】
【０００５】蚊  殺虫液剤が蒸発し回りに漂うて  蚊が避ける、６畳間、１週間は効き目あり。家にて実績済み。
【発明を実施する為の最良の形態】
【０００６】以下、本発明の実施例ついて説明する。
１・スポンジを設けて、２・蚊の殺虫液剤吹きつける、３・蒸発させ、４・蚊の嫌がる臭いを発散  ５・追い払
【図面の簡単な説明】
【０００７】
【図１】「本発明の側面図です」
【符号の説明】
【０００８】１  ふた  ３ｍｍ穴６ヶくらい．直径  ５５ｍｍ位
２  ビン丸６０ｍｍ×高さ８０ｍｍ
３  スポンジ挿入  厚さ２０ｍｍ×６０ｍｍ×９０ｍｍ位
ふたを  閉めて完成
４  蒸発した、殺虫剤
【図１】
2010037321.tif 000002
【図２】
2010037321.tif 000003
【手続補正書】
【提出日】平成20年10月8日(2008.10.8)
【手続補正１】
【補正対象書類名】明細書
【補正対象項目名】０００７
【補正方法】変更
【補正の内容】
【０００７】
【図１】  本発明の側面です
【図２】  使用状態の図
【手続補正２】
【補正対象書類名】図面
【補正対象項目名】全図
【補正方法】追加
【補正の内容】
【図１】
2010037321.tif 000004
【図２】
2010037321.tif 000005